(57)【要約】  高圧放電ランプは、述べられたイオン化充填物を含有する放電空間３をもつ内部電球２を有する。２つの電極４，５は、前記放電空間３内に両端から突出する。外部電球１３は、前記内部電球２を囲み、電流供給導体１２は、２つの電極のうちの一つの電極５に電流を供給するために前記外部電球１３の外側に延在する。スタータアンテナ１４は、前記電流供給導体１２に接続される。前記スタータアンテナ１４は、前記外部電球１３の壁内の開口部１５を通って、前記内部電球２の外面に向かって延在する。
2010530606.tif 000002
【特許請求の範囲】
【請求項１】
イオン化充填物を含有する放電空間と前記放電空間内に両端から突出する第１の電極及び第２の電極とをもつ内部電球、前記内部電球を囲む外部電球、並びに、前記第２の電極に電流を供給するために前記外部電球の外側に延在する電流供給導体を有する高圧放電ランプであって、
スタータアンテナが前記電流供給導体に接続され、
前記スタータアンテナは、前記外部電球の壁内の開口部を通って、前記内部電球の外面に向かって延在する、高圧放電ランプ。
【請求項２】
前記スタータアンテナの一部は、前記第１の電極に隣接して配置される、請求項１に記載の高圧放電ランプ。
【請求項３】
前記スタータアンテナの少なくとも一部は、大部分がＭｏ、大部分がＷ、大部分がＦｅ，Ｃｒ及びＡｌの合金、又は、大部分がＮｉ及びＦｅの合金を有する材料から作られる、請求項１又は請求項２に記載の高圧放電ランプ。
【請求項４】
前記スタータアンテナは、前記内部電球の外面の一部に沿って延在する部分を有する、請求項１〜３のうちいずれか一項に記載の高圧放電ランプ。
【請求項５】
前記部分は、前記内部電球の前記外面をコーティングした導電層である、請求項４に記載の高圧放電ランプ。
【請求項６】
前記導電層は、前記第１の電極に隣接する位置から前記第２の電極に隣接する位置に延在する細長形状を有する、請求項５に記載の高圧放電ランプ。
【請求項７】
前記導電層の材料の少なくとも主要部分は、タングステン、アンチモンスズ酸化物、インジウムスズ酸化物、又は、スズ酸化物である、請求項５又は請求項６に記載の高圧放電ランプ。
【請求項８】
前記部分は、前記内部電球の外面に沿って延在する導線である、請求項４に記載の高圧放電ランプ。
【請求項９】
前記導線の少なくとも主要部分は、大部分がＭｏ、大部分がＷ、大部分がＦｅ，Ｃｒ及びＡｌの合金、又は、大部分がＮｉ及びＦｅの合金を有する材料から作られる、請求項８に記載の高圧放電ランプ。
【発明の詳細な説明】
【技術分野】
【０００１】
本発明は、イオン化充填物を含有する放電空間と前記放電空間内に両端から突出する第１の電極及び第２の電極とをもつ内部電球、前記内部電球を囲む外部電球、並びに、前記第２の電極に電流を供給するために前記外部電球の外側に延在する電流供給導体を有する高圧放電ランプに関する。
【背景技術】
【０００２】
このタイプの高圧放電ランプは、多くのアプリケーション、例えば自動車のヘッドランプに用いられ得る。内部電球は、ランプの光源を有し、外部電球は、内部電球からの紫外線放射を吸収する材料から作られる。内部電球及び外部電球を有する斯様な高圧放電ランプは、米国特許第５，７３６，８１１号明細書に開示されている。
【０００３】
一般に、このタイプの高圧放電ランプは、放電空間においてガスの放電を起動させるために比較的高い駆動電圧を必要とするという欠点をもつ。ランプの駆動電源は、それ故、例えば２０ｋＶよりも高い高起動電圧を生成するように設計されなければならない。斯様な高電圧は、ランプの駆動回路の製造コストを上昇させる。更に、ノイズが生成され得る。
【発明の概要】
【発明が解決しようとする課題】
【０００４】
本発明の目的は、内部電球からの紫外線放射を吸収するための外部電球で囲まれた内部電球を有する高圧放電ランプであって、電流が前記外部電球の外側に配置された電流供給導体を介して一の電極に供給され、当該ランプが、気密構造の外部電球の必要なく単純な態様で低減され得る比較的低い起動電圧を有する高圧放電ランプを提供することにある。
【課題を解決するための手段】
【０００５】
この目的は、スタータアンテナが前記電流供給導体に接続され、前記スタータアンテナが、前記外部電球の壁内の開口部を通って、前記内部電球の外面に向かって延在することで達成される。スタータアンテナ自体の使用は、既知であり、例えば米国特許第６，３８０，６７９号明細書に開示されている。スタータアンテナは、放電空間に隣接しなければならず、それ故、外部電球の内側に配置されなければならない。外部電球の壁内の開口部又は穴を用いることにより、スタータアンテナは、外部電球の外側の電流供給導体から、内部電球の外面に隣接する外部電球の内側の位置に延在することができる。
【０００６】
アンテナの一部は、好ましくは、第１の電極に隣接して配置され、従って、放電空間内のガス放電が第１の電極の近くで効果的な手法で起動し得る一方で、ランプに供給された電圧が、スタータアンテナを伴わない場合の必要電圧よりも非常に低くなる。
【０００７】
好ましい実施形態において、アンテナの少なくとも一部は、大部分がＭｏ、大部分がＷ、大部分がＦｅ，Ｃｒ及びＡｌの合金（Kanthalとしても知られる）、又は、大部分がＮｉ及びＦｅの合金（Nikrothalとしても知られる）を有する材料から作られる。これらの材料のアプリケーションは、満足できるものだと判明した。
【０００８】
スタータアンテナは、好ましくは、内部電球の外面の一部に沿って延在する部分を有する。好ましい実施形態において、前記部分は、内部電球の外面をコーティングした導電層である。他の好ましい実施形態において、前記部分は、内部電球の外面に沿って延在する導線である。
【０００９】
導電層は、好ましくは、第１の電極に隣接する位置から第２の電極に隣接する位置に延在する細長（strip）形状を有し、この層は、外部電球の壁内の開口部を介して外部電球の外側の電流供給導体に対して導体により接続される。層の材料の少なくとも主要部分は、好ましくはタングステン（Ｗ）、アンチモンスズ酸化物（ＡＴＯ；antimony tin oxide）、インジウムスズ酸化物（ＩＴＯ；indium tin oxide）、又は、スズ酸化物である。これらの材料は、特定用途に対して適切であると判明した。
【００１０】
内部電球の外面に沿って延在する導線の少なくとも主要部分は、好ましくは、大部分がＭｏ、大部分がＷ、大部分がＦｅ，Ｃｒ及びＡｌの合金（Kanthal）、又は、大部分がＮｉ及びＦｅの合金（Nikrothal）を有する材料から作られる。
【００１１】
本発明は、自動車の高圧放電ランプの２つの実施形態を参照して説明されるだろう。
【図面の簡単な説明】
【００１２】
【図１】ランプの第１の実施形態の断面図である。
【図２】図１におけるラインＩ-ＩＩでの断面図である。
【図３】ランプの第２の実施形態を断面図で示す。
【発明を実施するための形態】
【００１３】
本発明の説明に関連する部分だけが３つの概略図に表わされている。２つの実施形態の同様の部分は、同一の参照番号で示されている。
【００１４】
ランプの第１の実施形態が図１及び２に示されている。本ランプは、ランプホルダにおいてランプを固定するための絶縁材料の基体部１を有し、基体部１は、ランプホルダにおいてランプを対応する電力供給接触手段に接続するための電気接触部（図示省略）を備えている。図１は、基体部１を除いて、ランプを断面図で示している。ランプは、イオン化ガスで満たされた放電空間３を囲む内部電球２を更に有する。２つの電極４，５は、内部電球２の透明材料に埋設されて、両端から放電空間３内に延在する。内部電球２は、電流供給手段を収容する２つの端部６，７を有する。各端部６，７における電流供給手段は、互いに接続された導線８，９とモリブデン薄片１０，１１とを有する。電極４，５は、それぞれ、モリブデン薄片１０，１１に接続される。
【００１５】
電力は、基体部１から導線８及びモリブデン薄片１０を介して第１の電極４に供給される。第２の電極５への電力は、基体部１から電流供給導体１２、導線９及びモリブデン薄片１１を介して供給される。導体１２は、内部電球２の大部分を囲む外部電球１３の外側に配置される。ここまでは、本ランプは、米国特許第５，７３６，８１１号明細書で開示されたランプと同様であり、この文書で述べられたように生産され得る。
【００１６】
本発明によれば、電流供給導体１２は、外部電球１３の壁内の開口部１５を介して延在するスタータアンテナとして機能する導電性棒状部材１４に接続される。スタータアンテナ１４の端部は、第１の電極４に隣接する内部電球２の外面に係合する。開口部１５は、それ故、比較的大きくなり得るか、又は、導電性部材１４を密接して囲み得る。
【００１７】
図３は、ランプの第２の実施形態を示している。この実施形態は、第１の実施形態と同様であるが、スタータアンテナが内部電球２の外面に沿って延在する部分１６を有する。部分１６は、内部電球２の外面をコーティングした細長形状の導電層１６であり得る。棒状部材１４は、導電層１６と接触し、スタータアンテナは、棒状部材１４と細長形状の導電層１６との双方を有する。代わりに、部分１６は、内部電球２の外面に沿って延在する導線であってもよい。棒状部材１４は、導線１６に接続され、位置的にこれを維持する。
【００１８】
前述された実施形態は、本発明による高圧放電ランプの単なる例である。本ランプの多くの他の代替実施形態が可能である。
【図１】
2010530606.tif 000003
【図２】
2010530606.tif 000004
【図３】
2010530606.tif 000005
【国際調査報告】
2010530606.tif 000006
2010530606.tif 000007
2010530606.tif 000008